(57)【要約】      （修正有）【課題】環境破壊を引き起こすことなく、軽量で高い強度を有するようにしたパレット用桁を提供する。【解決手段】平型又はボックス型のパレットの下面に取付けられる桁１０において、木材又は木粉の成形品によって構成され、両側面が開放された縦型矩形をなすフレーム１１と、フレームの両側開放面を閉鎖する左右一対の側板１２と、所定寸法に切断した丸竹あるいは竹粉又は木粉を柱状に成型して接着剤又は樹脂で固めた柱状部材によって構成され、フレーム内の上辺部と下辺部との間に縦に嵌め込まれて荷重を受ける構造部材１３と、を備える。【選択図】図２
0003168422.tif 000002
【実用新案登録請求の範囲】
【請求項１】
平型又はボックス型のパレット（２０）の下面に取付けられる桁（１０）において、
木材又は木粉の成形品によって構成され、両側面が開放された縦型矩形をなすフレーム（１１）と、
該フレーム（１１）の両側開放面を閉鎖する左右一対の側板（１２）と、
所定寸法に切断した丸竹あるいは竹粉又は木粉を柱状に成型して接着剤又は樹脂で固めた柱状部材によって構成され、上記フレーム（１１）内の上辺部と下辺部との間に縦に嵌め込まれて荷重を受ける構造部材（１３）と、
を備えたことを特徴とするパレット用桁。
【請求項２】
上記パレット（２０）が竹製パレットである請求項１記載のパレット用桁。
【考案の詳細な説明】
【技術分野】
【０００１】
この発明はパレット用桁に関し、特に環境破壊を引き起こすことなく、軽量で高い強度を有するようにした桁に関する。
【背景技術】
【０００２】
荷役用パレットは木板や合板を用いて製造されるのが一般的であるが、吸湿によって腐りやすく、使用に耐えなくなると焼却によって処分されていた。
【０００３】
しかし、木材は成長に何十年もの時間のかかる樹木を伐採し乾燥し、所定の形状や寸法に加工し、あるいは木製の薄板を積層し接着して用いられるものであり、木板や合板を大量に用いることは大量の樹木を伐採する必要が生じ、地球環境の破壊につながる。
【０００４】
これに対し、竹を縦割りにした薄い竹板を簾状に並べ、複数枚の簾板を積層して接着して竹製ボードを製造し、竹製ボードをパレットの材料に用いるようにした竹製パレットが提案されているが（特許文献１）、荷物の搭載する面を十分な強度とするためには簾板を多層に重ねる必要があって重くなってしまう。
【０００５】
他方、縦割り竹材を構造部材に用い、これを縦にして相互に交差して又は平行に組立て、上下の竹板で挟むようにした軽量の竹製ボードが提案されている（特許文献２）。この竹製ボードを用いてパレットを製作することが考えられるが、この竹製パレットでは板厚方向（板面に対して垂直な方向）の荷重に対しては縦にした縦割り竹材がこれを受けるので、十分な強度を確保することができる。
【０００６】
他方、パレットでは桁で大きな荷重を受ける必要があることから、木製の角材を用いて荷重を受けることが行われている。ここで、桁とはパレット搭載の荷物の荷重を受け、又パレット下側にフォークリフトのフォークを差し込むためのスペースを形成するためのものをいう。
【先行技術文献】
【特許文献】
【０００７】
【特許文献１】実用新案登録第３０２６５９５号公報
【特許文献２】実用新案登録第３１４０６５４号公報
【考案の概要】
【考案が解決しようとする課題】
【０００８】
しかし、木製の桁では大量に生産しようとすると、大量の樹木を伐採する必要が生じ、地球環境の破壊につながるばかりでなく、パレットが重くなってしまう。
【０００９】
本発明はかかる問題点に鑑み、環境破壊を引き起こすことなく、軽量で高い強度を有するようにしたパレット用桁を提供することを課題とする。
【課題を解決するための手段】
【００１０】
そこで、本発明に係るパレット用桁は、平型又はボックス型のパレットの下面に取付けられる桁において、木材又は木粉の成形品によって構成され、両側面が開放された縦型矩形をなすフレームと、該フレームの両側開放面を閉鎖する左右一対の側板と、所定寸法に切断した丸竹あるいは竹粉又は木粉を柱状に成型して接着剤又は樹脂で固めた柱状部材によって構成され、上記フレーム内の上辺部と下辺部との間に縦に嵌め込まれて荷重を受ける構造部材と、を備えたことを特徴とする。
【００１１】
本考案の特徴の１つは桁を中空とした点にある。これにより、桁の軽量化を図ることができる。
【００１２】
桁を中空にすると、構造的にパレットの荷重を受けきれないおそれがあるが、本発明ではフレーム内に構造部材を縦に設けて荷重を受けるようにしているので、大きな荷重を確実に受けることができる。
【００１３】
竹は成長速度が３年ないし４年で成長し、使用できるまでに数十年を必要とする樹木に比して速く、例えば１２本から２本を間引くなどすることによって一度に大量に伐採しても環境に与える影響は少ない。
【００１４】
本考案の他の特徴は丸竹、竹粉又は木粉を構造部材に用いるようにした点にある。これにより、地球環境に悪影響を与えることなく軽量桁を大量に製造することができ、又焼却処分しても有害物質が発生することが少ない。
【００１５】
本考案のさらに他の特徴はフレームを木材又は木粉の成形品によって構成するようにした点にある。これにより、パレットと桁とを釘打ちによって固定することができ、桁の取付けが簡単である。
【００１６】
パレットの構造は特に限定されず、特許文献１記載の竹製パレットや特許文献２記載の竹板を用いたパレットに適用すると、パレット自体の軽量化と相まってその効果が大きいが、勿論、木板製や合板製のパレットにも適用することができる。
【００１７】
さらに、パレットは平型パレットでもよく、ボックス型パレットであってもよい。また、本発明の桁は荷物が搭載される面の下面に取付けられればよい。
【図面の簡単な説明】
【００１８】
【図１】本考案に係るパレット用桁の好ましい実施形態を示す斜視図である。
【図２】上記実施形態を示す分解斜視図である。
【考案を実施するための形態】
【００１９】
以下、本発明を図面に示す具体例に基づいて詳細に説明する。図１及び図２は本考案に係るパレット用桁の好ましい実施形態を示す。本例の桁１０は竹製の平型パレット２０の下面に釘打ちなどによって取付けている。
【００２０】
平型パレット２０は真竹を等狭幅に縦割りにした狭幅板状の縦割り竹材を板状に並べ、複数枚の板状部材を相互に直交するように積層して接着剤で接着して積層板２１を製作し、上下の積層板２１の間に真竹を所定寸法に切断した構造部材２３を介在させるとともに、上下の積層板２１の側面を縦割り竹材２２で覆って接着して構成されている。
【００２１】
他方、桁１０は縦型矩形フレーム１１の両側面を薄板１２で覆って釘打ちや接着によって固定して構成されている。縦型矩形フレーム１１は竹粉や木粉に接着剤を混合した材料を用い、両側面の開放した縦型矩形状に成形して製造され、縦型矩形フレーム１１内には真竹を所定寸法に切断した構造部材１３が相互に所定の間隔をあけて縦に挿入されて平型パレット２０の荷重を受けるようになっている。
【００２２】
以上のように、本例では平型パレット２０及び桁１０は中空としているので、軽量化を図ることができる。
【００２３】
平型パレット２０及び桁１０を中空にすると、構造的に弱くなることが懸念されるが、本例ではパレット２０及び桁１０内に構造部材２３、１３を縦に設けて荷重を受けるようにしているので、大きな荷重を確実に受けることができる。
【００２４】
また、真竹を構造部材に用いるようにしているが、真竹は３年ないし４年で成長し、例えば１２本から２本を間引くなどすることによって一度に大量に伐採しても環境に与える影響は少ないので、地球環境に悪影響を与えることが少ない。また、焼却処分をしても有害物質が発生することが少ない。
【００２５】
なお、上記の例では桁のフレームに竹粉や木粉の成形品を用いるようにしたが、木板を縦型矩形状に組み立てて構成することもできる。
【００２６】
また、桁の構造部材に所定の寸法に切断した真竹を用いるようにしたが、竹粉や木粉の成形品を用いるようにしてもよい。
【００２７】
さらに、本発明の桁に竹製の平型パレットを用いるようにしたが、木板製や合板製の平型パレットに用いることもでき、又平型パレットではなく、ボックス型パレットに用いることもできる。
【００２８】
また、平型パレットの下面に桁を取付けたが、桁の下に竹製、木板製あるいは合板製の平板を取付けるようにしてもよい。
【符号の説明】
【００２９】
１０      桁
１１      縦型  矩形フレ−ム
２０      構造部材
【図１】
0003168422.tif 000003
【図２】
0003168422.tif 000004